(57)【要約】【課題】ＮＳＡに対応した移動端末を試験する場合に、処理負荷を軽減させることができる移動端末試験装置を提供すること。【解決手段】ＬＴＥの基地局として動作する第１の移動端末試験装置１と、ＮＳＡの５Ｇ  ＮＲの基地局として動作する第２の移動端末試験装置２と、を備え、ＮＳＡに対応した移動端末を試験する場合に、第２の移動端末試験装置２が５Ｇ  ＮＲの制御信号を生成し、生成した５Ｇ  ＮＲの制御信号を第１の移動端末試験装置１に送信し、第１の移動端末試験装置１が受信した５Ｇ  ＮＲの制御信号をＬＴＥの制御信号により移動端末３に送信する。【選択図】図１
2020088558.tif 000002
【特許請求の範囲】
【請求項１】
移動体通信の基地局を擬似して移動端末（３）を試験する移動端末試験装置（２）であって、
連携する別の移動端末試験装置（１）によって自装置がサポートしていない通信規格で制御信号が前記移動端末に送信される場合、前記制御信号を生成して前記別の移動端末試験装置に送信する移動端末試験装置。
【請求項２】
移動体通信の基地局を擬似して移動端末（３）を試験する移動端末試験装置（１）であって、
連携する別の移動端末試験装置（２）から自装置がサポートしていない通信規格の制御信号を受信した場合、自装置がサポートしている通信規格により前記制御信号を前記移動端末に送信する移動端末試験装置。
【請求項３】
請求項１に記載の移動端末試験装置と、請求項２に記載の移動端末試験装置と、を備え、
前記二つの移動端末試験装置を通信可能に構成する移動端末試験システム。
【請求項４】
ＮＳＡのＬＴＥの基地局として動作する移動端末試験装置（１）と、ＮＳＡの５Ｇ  ＮＲの基地局として動作する移動端末試験装置（２）とを使ったＮＳＡの試験方法であって、
５Ｇ  ＮＲの制御信号を移動端末（３）に送信する場合、
前記５Ｇ  ＮＲの基地局として動作する移動端末試験装置が５Ｇ  ＮＲの制御信号を生成するステップと、
前記５Ｇ  ＮＲの基地局として動作する移動端末試験装置が生成した５Ｇ  ＮＲの制御信号を前記ＬＴＥの基地局として動作する移動端末試験装置に送信するステップと、
前記ＬＴＥの基地局として動作する移動端末試験装置が受信した５Ｇ  ＮＲの制御信号をＬＴＥの制御信号により前記移動端末に送信するステップと、を備えるＮＳＡの試験方法。
【発明の詳細な説明】
【技術分野】
【０００１】
本発明は、移動端末の試験を行なう移動端末試験装置に関する。
【背景技術】
【０００２】
携帯電話やデータ通信端末等の移動しながら通信を行なう移動端末を開発した場合、この開発した移動端末が正常に通信を行なえるか否かを試験する必要がある。このため、実際の基地局の機能を擬似する擬似基地局として動作する試験装置に試験対象の移動端末を接続し、試験装置と移動端末との間で通信を行ない、この通信の内容を確認する試験を行なっている。
【０００３】
また、移動通信システムにおいては、５Ｇ（5th Generation）無線方式である５Ｇ  ＮＲ（New Radio）の標準仕様の策定が完了した。
【０００４】
５Ｇ  ＮＲでは、５Ｇ回線はU-Plane（User plane：ユーザーデータ信号）に特化し、C-Plane（Control Plane：通信の制御信号）はＬＴＥ（Long Term Evolution）回線を用いて送受信するＮＳＡ（Non-Standalone）と、ＬＴＥと連携せずに５Ｇ  ＮＲ単独で動作するＳＡ（Stand Alone）の仕様が規定されている。
【０００５】
特許文献１には、ＮＳＡやＳＡの通信システムにおけるハンドオーバーについて記載されている。
【先行技術文献】
【特許文献】
【０００６】
【特許文献１】国際公開第２０１７／０６２２４４号
【発明の概要】
【発明が解決しようとする課題】
【０００７】
ＮＳＡに対応した移動端末を試験する場合、ＬＴＥの試験に対応した移動端末試験装置と、５Ｇ  ＮＲの試験に対応した移動端末試験装置とを連携使用して試験することが考えられる。
【０００８】
しかしながら、このような構成とした場合、各装置が各通信方式に対応した制御信号を生成するようになっているので、ＮＳＡの仕様に則れば５Ｇ  ＮＲの制御信号をＬＴＥの移動端末試験装置により移動端末に送信しなければならず、その方法に課題があった。
【０００９】
すなわち、ＬＴＥの移動端末試験装置により５Ｇ  ＮＲの制御信号を生成するようにした場合、ＬＴＥの移動端末試験装置において、５Ｇ  ＮＲの設定情報に基づいて制御信号を生成しなければならず、処理負荷が大きくなる。
【００１０】
そこで、本発明は、ＮＳＡに対応した移動端末を試験する場合に、処理負荷を軽減させることができる移動端末試験装置を提供することを目的としている。
【課題を解決するための手段】
【００１１】
本発明の移動端末試験装置は、移動体通信の基地局を擬似して移動端末を試験する移動端末試験装置であって、連携する別の移動端末試験装置によって自装置がサポートしていない通信規格で制御信号が前記移動端末に送信される場合、前記制御信号を生成して前記別の移動端末試験装置に送信するものである。
【００１２】
この構成により、自装置が疑似する基地局がサポートしていない通信規格により制御信号を移動端末に送信する場合、制御信号が生成され、通信規格をサポートしている基地局を疑似する別の移動端末試験装置に制御信号が送信される。このため、通信規格をサポートしている別の移動端末試験装置での処理負荷を軽減させることができる。
【００１３】
また、本発明の移動端末試験装置は、移動体通信の基地局を擬似して移動端末を試験する移動端末試験装置であって、連携する別の移動端末試験装置から自装置がサポートしていない通信規格の制御信号を受信した場合、自装置がサポートしている通信規格により前記制御信号を前記移動端末に送信するものである。
【００１４】
この構成により、別の移動端末試験装置である他装置から当該他装置が擬似する基地局がサポートしていない通信規格の制御信号であって、自装置が擬似する基地局がサポートしている通信規格の制御信号を受信した場合、自装置が擬似する基地局がサポートしている通信規格により制御信号が送信される。このため、処理負荷を軽減させることができる。
【００１５】
また、本発明の移動端末試験システムは、ＬＴＥの基地局として動作する移動端末試験装置と、５Ｇ  ＮＲの基地局として動作する移動端末試験装置と、を備え、二つの移動端末試験装置を通信可能に構成するものである。
【００１６】
この構成により、ＬＴＥの基地局として動作する移動端末試験装置と、５Ｇ  ＮＲの基地局として動作する移動端末試験装置と、が通信可能に構成される。このため、ＬＴＥの基地局として動作する移動端末試験装置の処理負荷を軽減させることができる。
【００１７】
また、本発明のＮＳＡの試験方法は、ＮＳＡのＬＴＥの基地局として動作する移動端末試験装置と、ＮＳＡの５Ｇ  ＮＲの基地局として動作する移動端末試験装置とを使ったＮＳＡの試験方法であって、５Ｇ  ＮＲの制御信号を移動端末に送信する場合、前記５Ｇ  ＮＲの基地局として動作する移動端末試験装置が５Ｇ  ＮＲの制御信号を生成するステップと、前記５Ｇ  ＮＲの基地局として動作する移動端末試験装置が生成した５Ｇ  ＮＲの制御信号を前記ＬＴＥの基地局として動作する移動端末試験装置に送信するステップと、前記ＬＴＥの基地局として動作する移動端末試験装置が受信した５Ｇ  ＮＲの制御信号をＬＴＥの制御信号により前記移動端末に送信するステップと、を備えるものである。
【００１８】
この構成により、５Ｇ  ＮＲの制御信号を移動端末に送信する場合、５Ｇ  ＮＲの基地局として動作する移動端末試験装置により５Ｇ  ＮＲの制御信号が生成され、５Ｇ  ＮＲの基地局として動作する移動端末試験装置により生成された５Ｇ  ＮＲの制御信号がＬＴＥの基地局として動作する移動端末試験装置に送信され、ＬＴＥの基地局として動作する移動端末試験装置により受信された５Ｇ  ＮＲの制御信号がＬＴＥの制御信号により移動端末に送信される。このため、ＬＴＥの基地局として動作する移動端末試験装置の処理負荷を軽減させることができる。
【発明の効果】
【００１９】
本発明は、ＮＳＡに対応した移動端末を試験する場合に、処理負荷を軽減させることができる移動端末試験装置を提供することができる。
【図面の簡単な説明】
【００２０】
【図１】図１は、本発明の一実施形態に係る移動端末試験システムのブロック図である。
【図２】図２は、本発明の一実施形態に係る移動端末試験システムの５Ｇ  ＮＲのシグナリングメッセージ送信処理の手順を説明するシーケンス図である。
【発明を実施するための形態】
【００２１】
以下、図面を参照して、本発明の実施形態に係る移動端末試験システムについて詳細に説明する。
【００２２】
図１において、本発明の一実施形態に係る移動端末試験システムは、第１の移動端末試験装置１と、第２の移動端末試験装置２と、を含んで構成される。
【００２３】
第１の移動端末試験装置１と第２の移動端末試験装置２は、異なる規格の通信の試験装置である。例えば、第１の移動端末試験装置１がＬＴＥ規格専用で、第２の移動端末試験装置２が５Ｇ  ＮＲ規格専用で構成される。
【００２４】
本実施形態の移動端末試験システムは、５Ｇ  ＮＲ及びＬＴＥなどの複数の規格の通信を行なえるように構成されている移動端末３の試験を行なう。
【００２５】
本実施形態において、第１の移動端末試験装置１及び第２の移動端末試験装置２は、アンテナ１４、アンテナ２４を介して無線で移動端末３と信号を送受信するようになっている。
【００２６】
第１の移動端末試験装置１は、ＣＰＵ（Central Processing Unit）と、ＲＡＭ（Random Access Memory）と、ＲＯＭ（Read Only Memory）と、フラッシュメモリと、ハードディスク装置と、入力ポートと、出力ポートとを備えたコンピュータユニットによって構成されている。
【００２７】
このコンピュータユニットは、ハードディスク装置に記憶されたＯＳ（Operating System）をＣＰＵが実行することにより、ＣＰＵが入力ポート及び出力ポートに接続された機器を制御できるようになっている。
【００２８】
第１の移動端末試験装置１は、表示部１１と、操作部１２と、擬似基地局部１３と、アンテナ１４と、制御部１５と、を含んで構成される。
【００２９】
表示部１１は、液晶ディスプレイ等の画像表示機器で構成され、必要な情報を入力させる画像や試験中の状態を示す画像などを表示する。
【００３０】
操作部１２は、キーボード、マウス、タッチパネル等の入力機器で構成され、操作入力された情報などを制御部１５に出力する。
【００３１】
擬似基地局部１３は、制御部１５の制御により、移動端末３との間でアンテナ１４を介して無線信号を送受信する。擬似基地局部１３は、制御部１５から入力されるコマンドに基づいて移動端末３との通信を制御する。擬似基地局部１３は、移動端末３との通信の状態などを制御部１５に出力する。
【００３２】
擬似基地局部１３は、ＬＴＥの規格に従ってＬＴＥの通信を移動端末３との間で行なえるようになっている。
【００３３】
制御部１５は、第１の移動端末試験装置１のハードディスク装置に記憶されたプログラムにより構成される。制御部１５は、第１の移動端末試験装置１のＯＳ上で動作し、ＯＳを介して表示部１１や、操作部１２、擬似基地局部１３、などを制御して、コンピュータユニットを第１の移動端末試験装置１として動作させる。
【００３４】
制御部１５は、操作部１２に入力された情報に基づいて、擬似基地局部１３にコマンドを出力して擬似基地局としての動作を制御する。制御部１５は、操作部１２への入力のガイドや、擬似基地局部１３に設定されているパラメータの内容、擬似基地局部１３から出力された移動端末３との通信の状態などを表示部１１に表示させる。
【００３５】
第１の移動端末試験装置１は、ＣＰＵと、ＲＡＭと、ＲＯＭと、フラッシュメモリと、ハードディスク装置と、入力ポートと、出力ポートとを備えたコンピュータユニットによって構成されている。
【００３６】
このコンピュータユニットは、ハードディスク装置に記憶されたＯＳ（Operating System）をＣＰＵが実行することにより、ＣＰＵが入力ポート及び出力ポートに接続された機器を制御できるようになっている。
【００３７】
第２の移動端末試験装置２は、表示部２１と、操作部２２と、擬似基地局部２３と、アンテナ２４と、制御部２５と、を含んで構成される。
【００３８】
表示部２１は、液晶ディスプレイ等の画像表示機器で構成され、必要な情報を入力させる画像や試験中の状態を示す画像などを表示する。
【００３９】
操作部２２は、キーボード、マウス、タッチパネル等の入力機器で構成され、操作入力された情報などを制御部２５に出力する。
【００４０】
擬似基地局部２３は、制御部２５の制御により、移動端末３との間でアンテナ２４を介して無線信号を送受信する。擬似基地局部２３は、制御部２５から入力されるコマンドに基づいて移動端末３との通信を制御する。擬似基地局部２３は、移動端末３との通信の状態などを制御部２５に出力する。
【００４１】
擬似基地局部２３は、５Ｇ  ＮＲの規格に従って５Ｇ  ＮＲの通信を移動端末３との間で行なえるようになっている。
【００４２】
制御部２５は、第２の移動端末試験装置２のハードディスク装置に記憶されたプログラムにより構成される。制御部２５は、第２の移動端末試験装置２のＯＳ上で動作し、ＯＳを介して表示部２１や、操作部２２、擬似基地局部２３、などを制御して、コンピュータユニットを第２の移動端末試験装置２として動作させる。
【００４３】
制御部２５は、操作部２２に入力された情報に基づいて、擬似基地局部２３にコマンドを出力して擬似基地局としての動作を制御する。制御部２５は、操作部２２への入力のガイドや、擬似基地局部２３に設定されているパラメータの内容、擬似基地局部２３から出力された移動端末３との通信の状態などを表示部２１に表示させる。
【００４４】
第１の移動端末試験装置１の制御部１５と、第２の移動端末試験装置２の制御部２５とは、ケーブルで接続され、相互に通信が可能になっている。
【００４５】
このような構成の移動端末試験システムにおいて、ＮＳＡに対応した移動端末３を試験する場合、第１の移動端末試験装置１には、試験項目に従ったＬＴＥの疑似基地局としてのパラメータや信号シーケンスが設定された試験シナリオを作成させる。
【００４６】
また、第２の移動端末試験装置２には、試験項目に従った５Ｇ  ＮＲの疑似基地局としてのパラメータや信号シーケンスが設定された試験シナリオを作成させる。このとき、ＬＴＥのC-Planeで送信する５Ｇ  ＮＲの制御信号（以下、シグナリングメッセージともいう）についても第２の移動端末試験装置２の試験シナリオで設定させる。
【００４７】
このように作成された試験シナリオを第１の移動端末試験装置１及び第２の移動端末試験装置２に実行させる。
【００４８】
試験シナリオ実行中に、第２の移動端末試験装置２において、５Ｇ  ＮＲの制御信号を送信するタイミングになると、第２の移動端末試験装置２の制御部２５は、試験シナリオに設定された情報に基づいてシグナリングメッセージを生成する。
【００４９】
制御部２５は、生成したシグナリングメッセージを第１の移動端末試験装置１の制御部１５に通知する。
【００５０】
第１の移動端末試験装置１の制御部１５は、第２の移動端末試験装置２の制御部２５から５Ｇ  ＮＲのシグナリングメッセージを受信すると、受信したシグナリングメッセージを、ＬＴＥの規格に従ってＬＴＥのC-Planeにより移動端末３に送信する。
【００５１】
このように、ＮＳＡに対応した移動端末３の試験において、５Ｇ  ＮＲのシグナリングメッセージを送信する場合、５Ｇ  ＮＲの規格に対応した第２の移動端末試験装置２においてシグナリングメッセージを作成し、そのシグナリングメッセージをＬＴＥの規格に対応した第１の移動端末試験装置１に通知して、第１の移動端末試験装置１では受信したシグナリングメッセージをそのまま送信している。
【００５２】
このため、第１の移動端末試験装置１において５Ｇ  ＮＲのシグナリングメッセージを生成する必要が無く、処理負荷を軽減させることができる。
【００５３】
また、第１の移動端末試験装置１では、受信した５Ｇ  ＮＲのシグナリングメッセージをそのまま移動端末３に送信するのみのため、５Ｇ  ＮＲの規格に変更があった場合でも第１の移動端末試験装置１への変更の必要は無い。
【００５４】
以上のように構成された本実施形態に係る移動端末試験システムによる５Ｇ  ＮＲのシグナリングメッセージ送信処理について、図２を参照して説明する。
【００５５】
第２の移動端末試験装置２の制御部２５は、５Ｇ  ＮＲの制御信号を送信するタイミングになると、ステップＳ１において、試験シナリオに設定された情報に基づいてシグナリングメッセージを生成する。
【００５６】
ステップＳ２において、制御部２５は、生成したシグナリングメッセージを第１の移動端末試験装置１の制御部１５に通知する。
【００５７】
ステップＳ３において、第１の移動端末試験装置１の制御部１５は、受信したシグナリングメッセージをＬＴＥのC-Planeにより移動端末３に送信する。
【００５８】
なお、本実施形態においては、第１の移動端末試験装置１及び第２の移動端末試験装置２として装置本体のみで動作する場合を示したが、パーソナルコンピュータ装置から制御されるようにしてもよい。
【００５９】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６０】
１  第１の移動端末試験装置
２  第２の移動端末試験装置
３  移動端末
１５  制御部
２５  制御部
【図１】
2020088558.tif 000003
【図２】
2020088558.tif 000004